(57)【要約】【課題】組立作業を簡単に行うことができる電子鍵盤楽器の外装構造を提供する。【解決手段】アナログ基板５１の上下の縁部がそれぞれ基板第１保持部１５１Ｌの下側スリット及び基板第２保持部２６１の上側スリット２６Ｂ内に挿入されて下ケース１０の底板１１及び上ケース２０の上板２１によって狭持されるように下ケース１０の上側に上ケース２０を重ねた状態で、上ケース２０及び下ケース１０をネジで固着されて形成されている。【選択図】図４
2008170476.tif 000002
【特許請求の範囲】
【請求項１】
演奏者側に鍵盤部を搭載する底板が設けられた下ケースと、該下ケースの上側を覆う上板が設けられた上ケースとを有し、前記下ケースの上側から前記上ケースを重ねて形成した電子鍵盤楽器の外装構造において、
前記鍵盤部よりも演奏者から離れた側の前記下ケースの底板に前記上ケース側が開口となるように設けられた下側スリットを有する基板第１保持部と、
前記鍵盤部よりも演奏者から離れた側の前記上ケースの上板に前記下ケース側が開口となるように設けられた上側スリットを有する基板第２保持部と、
前記上ケースと下ケースとの間に配設される基板とを備え、
前記基板の縁部が前記下側スリット及び前記上側スリット内に挿入されて前記下ケースの上側に前記上ケースを重ねた状態で、前記上ケース及び前記下ケースが固着手段で固着されて形成されていることを特徴とする電子鍵盤楽器の外装構造。
【請求項２】
盤面が前記演奏者から離れた側を向くように、前記基板上における演奏者から離れた側に放熱板を配設したことを特徴とする請求項１に記載の電子鍵盤楽器の外装構造。
【請求項３】
凹凸部が設けられた放熱板を有し、
前記放熱板が、前記基板と前記凹凸部との間に上下方向に貫通する透孔が設けられるように、前記基板に重ねて固着されていることを特徴とする請求項１に記載の電子鍵盤楽器の外装構造。
【請求項４】
前記基板第１保持部の下側スリットが、前記基板挿入時に最初に挿入されるように設けられた第１下側スリットと、該第１下側スリットに挿入された後で挿入されるように設けられた第２下側スリットと、を有することを特徴とする請求項１〜３に何れか１項記載の電子鍵盤楽器の外装構造。
【請求項５】
前記基板第１保持部の下側スリットが、第１下側スリットと、第２上側スリットとを有し、そして、前記第１下側スリットの開口が、前記第２下側スリットの開口よりも前記上ケース側に設けられたことを特徴とする請求項１〜３に何れか１項記載の電子鍵盤楽器の外装構造。
【請求項６】
前記第１下側スリット及び前記第２下側スリットが、鍵並び方向に沿って並設されていることを特徴とする請求項４又は５に記載の電子鍵盤楽器の外装構造。
【請求項７】
前記基板及び前記スリット内の何れか一方に設けられた弾性手段を有することを特徴とする請求項１〜６何れか１項に記載の電子鍵盤楽器の外装構造。
【請求項８】
前記基板第１保持部が、前記底板から前記上ケースに向かって突設されると共に前記下側スリットが設けられた下側突部と、前記底板から前記上ケースに向かって突設されると共に前記基板の鍵並び方向を位置決めする位置決め壁と、前記下側突部と前記位置決め壁とを連結する連結壁とを有することを特徴とする請求項１〜７の何れか１項に記載の電子鍵盤楽器の外装構造。
【請求項９】
前記基板の縁部が、前記基板第１保持部及び前記基板第２保持部の少なくとも一方によって狭持されていることを特徴とする請求項１〜８何れか１項記載の電子鍵盤楽器の外装構造。
【発明の詳細な説明】
【技術分野】
【０００１】
本発明は、電子鍵盤楽器の外装構造に係り、特に、演奏者側に鍵盤部を搭載する底板が設けられた下ケースと、該下ケースの上側を覆う上板が設けられた上ケースとを有し、前記下ケースの上側から前記上ケースを重ねて形成した電子鍵盤楽器の外装構造に関するものである。
【背景技術】
【０００２】
近年、電子鍵盤楽器に内蔵される基板の小型が進み、上下方向と平行になるように基板を立てて筐体内に収容することができるようになった。このような電子鍵盤楽器の一例として例えば特許文献１に記載されたものが提案されている。この電子鍵盤楽器の筐体は、筐体本体部と、筐体後部との２部品から構成されている。
【０００３】
筐体本体部は、鍵盤部が搭載される底板部（底板）を有し、上側と背面側とに開口が設けられている。筐体後部は、筐体本体部の上側開口を覆う屋根板部（上板）と、筐体本体部の背面開口を覆う背面板部とが設けられている。そして、筐体後部の背面板部には、メイン回路基板が立った状態でネジなどによって取り付けられている。
【０００４】
次に、上述した電子鍵盤楽器の筐体の組立手順について説明する。まず、筐体後部の背面板部にメイン回路基板を取り付ける。その後、筐体後部を筐体本体部に対して演奏者側にスライドさせて筐体本体部に取り付ける。
【０００５】
しかしながら、上述した従来の電子鍵盤楽器の筐体では、筐体後部の背面板部にメイン回路基板をネジによって取り付ける必要があり、ネジ止め作業が必要となっている。また、筐体本体部への筐体後部の取付作業とは別にネジ止め作業を行う必要があり、組立作業が非常に煩雑であるという問題があった。
【特許文献１】特開２００４−１７１０３８号公報
【発明の開示】
【発明が解決しようとする課題】
【０００６】
そこで、本発明は、上記のような問題点に着目し、組立作業を簡単に行うことができる電子鍵盤楽器の外装構造を提供することを課題とする。
【課題を解決するための手段】
【０００７】
上記課題を解決するためになされた請求項１記載の電子鍵盤楽器の外装構造は、基板の縁部が下側スリット及び上側スリット内に挿入されて下ケースの上側に上ケースを重ねた状態で、上ケース及び下ケースが固着手段で固着されて形成されている。
【０００８】
請求項２記載の電子鍵盤楽器の外装構造は、請求項１において、放熱板が、その盤面が演奏者から離れた側を向くように、基板上における演奏者から離れた側に配設されるようにした。
【０００９】
請求項３記載の電子鍵盤楽器の外装構造は、請求項１において、放熱板が、基板と凹凸部との間に上下方向に貫通する透孔が設けられるように、基板に重ねて固着された。
【００１０】
請求項４記載の電子鍵盤楽器の外装構造は、請求項１〜３何れか１項において、基板挿入時に基板が最初に第１下側スリットに挿入されその後第２下側スリットに挿入されるように、第１下側スリットと第２下側スリットとが設けられるようにした。
【００１１】
請求項５記載の電子鍵盤楽器の外装構造は、請求項１〜３何れか１項において、第１下側スリットの開口が第２下側スリットの開口よりも上ケース側に設けられるように、第１下側スリットと第２下側スリットとを設け、基板挿入時に基板が最初に第１下側スリットに挿入されその後第２下側スリットに挿入されるようにした。
【００１２】
請求項６記載の電子鍵盤楽器の外装構造は、請求項４又は５において、第１下側スリット及び第２下側スリットが、鍵並び方向に沿って並設されている。
【００１３】
請求項７記載の電子鍵盤楽器の外装構造は、請求項１〜６何れか１項において、弾性手段が、基板及びスリット内の何れか一方に設けられている。
【００１４】
請求項８記載の電子鍵盤楽器の外装構造は、請求項１〜７何れか１項において、基板第１保持部が、底板から上ケースに向かって突設されると共に下側スリットが設けられた下側突部と、底板から上ケースに向かって突設されると共に基板の鍵並び方向を位置決めする位置決め壁と、下側突部と位置決め壁とを連結する連結壁とを有する。
【００１５】
なお、上ケースは、底板の演奏者から離れた側の縁部から突設された後方立ち上がり部が設けられたものでもよい。また、放熱板に対向する後方立ち上がり部に放熱孔を設ける構成であってもよい。これにより放熱効果の向上を図ることができる。
【００１６】
また、第２下側スリットは、複数設けてもよい。このとき、複数の第２下側スリットは、鍵並び方向に沿って並んで設けられる。
【００１７】
請求項９記載の電子鍵盤楽器の外装構造は、請求項１〜８何れか１項において、基板の縁部が、基板第１保持部及び基板第２保持部の少なくとも一方によって狭持されている。
【発明の効果】
【００１８】
以上説明したように請求項１記載の発明によれば、上ケース及び下ケースによって上下方向から基板を挟み込んで保持することができるため、基板をケースに取り付けるためのネジ止め作業が不要になる。しかも下ケースに対する上ケースの取付作業時に基板をケースに取り付けることができる。このため、組立作業を簡単に行うことができる。また、基板が上ケース及び下ケースの上下方向の補強となり、ケースの外力による変形を防止することができる。また、基板の縁部が上ケース及び下ケースによって狭持されるため、基板が倒れるのを防止して、ケース内に強固に固定することができる。
【００１９】
請求項２記載の発明によれば、放熱板を基板の演奏者から離れた側に配置し、しかも放熱板の盤面を演奏者から離れた側に向けるように配置するため、鍵盤部に熱がこもるのを防ぐことができる。例えば、基板と鍵盤部との間に放熱板を配置すると、鍵盤部のフレーム（樹脂）に熱がこもり、鍵盤（樹脂）フレームに熱分布のアンバランスが起こる。それによって鍵盤部のフレームがねじれ、各鍵毎のタッチレスポンスの均一性が悪くなったり、鍵盤演奏性（フラットな鍵盤ではなくなる）が低下するが、請求項２記載の発明によれば、鍵盤部に熱がこもるのを防ぐことができ、基板からの熱によって各鍵毎のタッチレスポンスの均一性の悪化や鍵盤演奏性が低下するのを防ぐことができる。
【００２０】
請求項３記載の発明によれば、放熱板が、基板と凹凸部との間に上下方向に貫通する透孔が設けられるように、基板に重ねて固着されているので、放熱板が基板の補強になる。このため、基板が上ケース及び下ケースをより一層補強し、ケースの外力による変形を防止することができる。しかも、透孔によって上下方向に空気の通り道を作るため、より一層、放熱効果を増すことができる。
【００２１】
請求項４記載の発明によれば、時間差で挿入できる第１下側スリット及び第２下側スリットによってスムーズに基板を下ケースに装着することができる。また、第１下側スリット及び第２下側スリットが協働して基板の板厚方向の調芯作用をする。
【００２２】
請求項５記載の発明によれば、基板挿入時に最初に第１下側スリット内に挿入され、その後第２下側スリット内に挿入することができ、スムーズに基板を下ケースに装着することができる。また、第１下側スリット及び第２下側スリットが協働して基板の板厚方向の調芯作用をする。
【００２３】
請求項６記載の発明によれば、第１下側スリット及び第２下側スリットが、鍵並び方向に沿って並設されているので、ケース内に基板を強固に保持することができる。
【００２４】
請求項７記載の発明によれば、弾性手段により基板がスリット内でガタつくことなく、強固に固着することができる。このため、楽音にメカ雑音が発生するのを防止し、ビリツキ音が発生するのを防止することができる。
【００２５】
請求項８記載の発明によれば、位置決め壁により基板の鍵並び方向の位置決めを行うことができる。しかも、連結部によって下側突部と連結して一体に設けることにより、位置決め壁及び下側突部を補強することができる。
【００２６】
請求項９記載の発明によれば、基板の縁部が基板第１保持部及び基板第２保持部の少なくとも一方によって狭持されているので、ケース内に基板を強固に保持することができる。
【発明を実施するための最良の形態】
【００２７】
以下、本発明の一実施の形態を図面に基づいて説明する。図１（Ａ）は本発明の電子鍵盤楽器の外装構造を構成する上ケース２０を下側から見た斜示図であり、（Ｂ）は本発明の電子鍵盤楽器の外装構造を構成する下ケース１０を上側から見た斜示図である。図２は、図１に示す下ケース１０の部分拡大斜示図である。図３は、図１に示す下ケース１０に配設されたサウンドシステム回路用アナログ基板５１を外した状態での部分拡大斜示図である。図４は、図２に示すＩＶ−ＩＶ線で上ケース２０及び下ケース１０を組み込んだ電子鍵盤楽器を切ったときの断面図である。なお、図中、矢印Ｙ１が前後方向の演奏者側であり、矢印Ｙ２が前後方向の演奏者から離れた側であり、矢印Ｙ３が鍵並び方向の演奏者左側であり、矢印Ｙ４が鍵並び方向の演奏者右側であり、矢印Ｙ５が上下方向を示す。
【００２８】
図１に示すように、電子鍵盤楽器の外装構造は、演奏者側Ｙ１に鍵盤部３０（図４参照）を搭載する底板１１を有する下ケース１０と、下ケース１０の上側を覆う上板２１及びこの上板２１の上面に設けられた操作部２２を有する上ケース２０とを有している。そして、図４に示すように、下ケース１０の上側から上ケース２０を重ねる抱き合わせ構造により、電子鍵盤楽器の外装構造が形成されている。
【００２９】
上述した上ケース２０及び下ケース１０内には、図１に示すように、前記アナログ基板５１（基板）と音源を含む音楽信号形成回路が搭載されたデジタル基板５２（基板）とが収容されている。このアナログ基板５１及びデジタル基板５２は、上下方向Ｙ５と平行になるように立てて配置される。また、アナログ基板５１及びデジタル基板５２は、上下の縁部Ｅ１の延在方向Ｙ６が鍵並び方向Ｙ３、Ｙ４と平行になるように配置される。
【００３０】
まず、下ケース１０の構成について説明する。上記下ケース１０は、図１（Ｂ）に示すように、後方立ち上がり部１２と、前方立ち上がり部１３と、左右立ち上がり部１４とが設けられている。後方立ち上がり部１２は、底板１１の演奏者から離れた側Ｙ２の縁部から立ち上がって設けられている。前方立ち上がり部１３は、底板１１の演奏者側Ｙ１の縁部から立ち上がって設けられている。左右立ち上がり部１４は、底板１１の鍵並び方向Ｙ３、Ｙ４の縁部から立ち上がって設けられている。
【００３１】
下ケース１０の底板１１には、一対の基板第１保持部１５１Ｒ及び１５１Ｌと、一対の基板第１保持部１５２Ｒ及び１５２Ｌと、下側ボス１６とが設けられている。基板第１保持部１５１Ｒ及び１５１Ｌはそれぞれ、アナログ基板５１の下側の縁部Ｅ１を狭持するために設けられ、互いに離間して鍵並び方向Ｙ３、Ｙ４に並んで設けられている。基板第１保持部１５２Ｒ及び１５２Ｌはそれぞれ、デジタル基板５２の下側の縁部Ｅ１を狭持するために設けられ、互いに離間して鍵並び方向Ｙ３、Ｙ４に並んで設けられている。
【００３２】
上記基板第１保持部１５１Ｒは各々、図３に示すように、第１下側突部１５Ａ（下側突部）と、２つの第２下側突部１５Ｂ（下側突部）と、位置決め壁１５Ｃ、連結壁１５Ｄ（連結部）とが一体に形成されている。なお、基板第１保持部１５１Ｌ、１５２Ｒ及び１５２Ｌは、上記基板第１保持部１５１Ｒと同様の構成のため詳細な説明については省略する。
【００３３】
第１、第２下側突部１５Ａ、１５Ｂはそれぞれ、鍵盤部３０よりも演奏者から離れた側Ｙ２の底板１１、言い換えると、鍵盤部３０と後方立ち上がり部１２との間の底板１１に上ケース２０に向かって突出されている。第１、第２下側突部１５Ａ、１５Ｂにはそれぞれ、上ケース２０側が開口となり、かつ鍵並び方向Ｙ３、Ｙ４に貫通する第１下側スリットＳＬ１１、第２下側スリットＳＬ１２が設けられている。第１、第２下側スリットＳＬ１１及びＳＬ１２のスリット幅は、アナログ基板５１及びデジタル基板５２の板厚とほぼ同じに設けられている。また、上記第１下側突部１５Ａは、第２下側突部１５Ｂよりも底板１１からの高さが高くなるように設けられている。これにより、第１下側スリットＳＬ１１の開口が、第２下側スリットＳＬ１２の開口よりも上ケース２０側に設けられる。
【００３４】
一対の基板第１保持部１５１Ｒ及び１５１Ｌ、１５２Ｒ及び１５２Ｌのうち演奏者の右側Ｙ４に配置される基板第１保持部１５１Ｒ及び１５２Ｒは、演奏者の右側Ｙ４から位置決め壁１５Ｃ、第１下側突部１５Ａ、第２下側突部１５Ｂの順で互いに鍵並び方向Ｙ３、Ｙ４（即ち上下の縁部Ｅ１の延在方向Ｙ６）に並べて設けられている。また、一対の基板第１保持部１５１Ｒ及び１５１Ｌ、１５２Ｒ及び１５２Ｌのうち演奏者の左側Ｙ３に配置される基板第１保持部１５１Ｌ及び１５２Ｌは、演奏者の左側Ｙ３から位置決め壁１５Ｃ、第１下側突部１５Ａ、第２下側突部１５Ｂの順で鍵並び方向Ｙ３、Ｙ４に並べて設けられている。
【００３５】
そして、第１下側突部１５Ａに設けられた第１下側スリットＳＬ１１、及び、２つの第２下側突部１５Ｂにそれぞれ設けられた２つの第２下側スリットＳＬ１２は、鍵並び方向Ｙ３、Ｙ４に沿って並んで設けられている。また、一対の連結壁１５Ｄが、これら位置決め壁１５Ｃ、第１下側突部１５Ａ、第２下側突部１５Ｂの間をそれぞれ連結するように設けられている。２つの第２下側突部１５Ｂのうち第１下側突部１５Ａ側に設けられた突部は、連結壁１５Ｄよりも前後方向側に延在して底板１１を補強する補強リブ部を構成する。
【００３６】
また、上記位置決め壁１５Ｃは、アナログ基板５１、デジタル基板５２の鍵並び方向Ｙ３、Ｙ４、即ち延在方向Ｙ６を挟むように設けられている。そして、位置決め壁１５Ｃは、アナログ基板５１、デジタル基板５２の鍵並び方向Ｙ３、Ｙ４にある縁部Ｅ２と接してアナログ基板５１、デジタル基板５２の鍵並び方向Ｙ３、Ｙ４を位置決めする。
【００３７】
上記第１、第２下側突部１５Ａ、１５Ｂには各々、前後方向に対向して設けられた一対のテーパＴが設けられている。一対のテーパＴは、第１、第２下側スリットＳＬ１１、ＳＬ１２の上側に設けられている。一対のテーパＴは、下方向に向かうに従って互いに近づくように設けられている。なお、一対のテーパＴ間距離は、アナログ基板５１やデジタル基板５２の板厚よりも広くなるように設けられている。
【００３８】
上記下側ボス１６は、底板１１に上ケース２０に向かって突設されている。この下側ボス１６には、上下方向Ｙ５に貫通するネジ孔ｈ１が形成されている。また、下側ボス１６は、鍵並び方向Ｙ３、Ｙ４に６つ並べて配置されている。
【００３９】
次に、上ケース２０について説明する。上ケース２０は、図１（Ａ）に示すように、後方立ち下がり部２３と、前方立ち下がり部２４と、左右立ち下がり部２５とが設けられている。上板２１には、鍵盤部３０を露出するための鍵盤部開口２１Ａと、スピーカ（図示せず）を露出するためのスピーカ開口２１Ｂとが設けられている。後方立ち下がり部２３は、上板２１の演奏者から離れた側Ｙ２の縁部から立ち下がって設けられている。前方立ち下がり部２４は、上板２１の演奏者側Ｙ１の縁部から立ち下がって設けられている。左右立ち下がり部２５は、上板２１の鍵並び方向Ｙ３、Ｙ４の縁部から立ち上がって設けられている。
【００４０】
上ケース２０はまた、基板第２保持部２６１、２６２と、上側ボス２６とが設けられている。基板第２保持部２６１は、アナログ基板５１の上側の縁部Ｅ１を狭持するために設けられ、互いに離間して鍵並び方向Ｙ３、Ｙ４に並んで設けられている。基板第２保持部２６２は、デジタル基板５２の下側の縁部Ｅ１を挟んで狭持するために設けられ、互いに離間して鍵並び方向Ｙ３、Ｙ４に並んで設けられている。
【００４１】
上記基板第２保持部２６１は各々、図１及び図４に示すように、上側突部２６Ａと、この上側突部２６Ａに設けられた上側スリット２６Ｂとを有している。なお、基板第２保持部２６２は、基板第２保持部２６１と同様の構成のため詳細な説明を省略する。上側突部２６Ａはそれぞれ、鍵盤部３０よりも演奏者から離れた側Ｙ２の上板２１、言い換えると、鍵盤部３０と後方立ち下がり部２３との間の上板２１に下ケース１０に向かって突出されている。上側スリット２６Ｂは各々、上側突部２６Ａの下ケース１０側が開口となり、かつ鍵並び方向Ｙ３、Ｙ４に貫通するように設けられている。上側スリット２６Ｂの幅は、アナログ基板５１、デジタル基板５２の板厚とほぼ等しい大きさに設けられている。
【００４２】
上側ボス２６は、上板２１に下ケース１０に向かって突設されている。上側ボス２６は、上ケース２０及び下ケース１０を重ねたときに下側ボス１６と重なる位置に設けられている。上側ボス２６には、ネジ孔が設けられている。
【００４３】
次に、上述した構成の上ケース２０及び下ケース１０内に収容されるアナログ基板５１及びデジタル基板５２について説明する。アナログ基板５１及びデジタル基板５２は各々、正面視矩形の平板状に設けられている。上記アナログ基板５１には、図２及び図４に示すように、放熱板５５が取り付けられている。
【００４４】
放熱板５５は、金属板から成り、図２に示すように、凹凸部が鍵並び方向Ｙ３、Ｙ４に交互に並べて設けられている。この凹凸部は、金属板を折り曲げて設けている。放熱板５５は、アナログ基板５１の演奏者とは離れた側Ｙ２に配置される。放熱板５５は、アナログ基板５１と凹凸部との間に上下方向Ｙ５に貫通する透孔６０が設けられるように、アナログ基板５１に重ねて固着されている。これにより、放熱板５５は、その盤面Ｂが演奏者から離れた側Ｙ２を向くように配置される。
【００４５】
また、アナログ基板５１付近の底板１１と後方立ち上がり部１２とには、アナログ基板５１から発生する熱を上ケース２０及び下ケース１０外に放熱させる複数の放熱孔１７が設けられている。即ち、放熱板５５の盤面Ｂと対向する後方立ち上がり部１２に放熱孔１７が設けられる。
【００４６】
また、アナログ基板５１、デジタル基板５２の基板第１保持部１５１Ｒ、１５１Ｌ、１５２Ｒ及び１５２Ｌ、基板第２保持部２６１、２６２に狭持される部分には各々弾性部材からなるテープ（弾性手段）７０が貼り付けられている。
【００４７】
次に、上述した構成の上ケース２０及び下ケース１０内に収容される操作部用基板５３について説明する。操作部２２は、操作部用基板５３を有している。この操作部用基板５３は、上板２１の下面に上板２１と水平にネジによって取り付けられている。操作部２２から引き出された配線部Ｌは、図１（Ａ）に示すように、上板２１の下面に配索され、アナログ基板５１、デジタル基板５２にそれぞれ接続されている。即ち、配線部Ｌは、図４に示すように、放熱板５５の上方付近を跨ぐように配索される。この配線部Ｌの放熱板５５上方付近を跨ぐ部分が、透孔６０内を下から上に流れるアナログ基板５１から熱の影響を受けて、不具合が発生する。
【００４８】
そこで、この配線部Ｌの放熱板５５の上方付近に配索されている部分に、耐熱用基板５４を設けて、配線部Ｌが熱の影響を受けないようにしている。耐熱用基板５４は、上板２１との間に配線部Ｌを挟んだ状態で上板２１にネジ止めされている。これにより、配線部Ｌが上板２１に取り付けられる。この耐熱用基板５４は、操作部用基板５３にミシン目を入れて一体に形成された後にミシン目で分離した余り基板から構成されている。
【００４９】
次に、上述した構成の上ケース２０及び下ケース１０内に収容されている鍵盤部３０について説明する。鍵盤部３０は、図４に示すように、黒鍵３１及び白鍵３２と、スイッチ基板３３とを備えている。黒鍵３１及び白鍵３２は、鍵並び方向Ｙ３、Ｙ４に並べて複数、配置されている。スイッチ基板３３は、黒鍵３１及び白鍵３２を押したときにオンするスイッチが搭載されている。
【００５０】
次に、上述した構成の電子鍵盤楽器の組立手順について以下説明する。まず、予め操作部２２から引き出された配線部Ｌを上板２１の下面に沿って配索した状態で、耐熱用基板５４と操作部用基板５３とが一体形成された一体基板を上板２１の下面にネジによって固定する。このとき、上板２１との間に配線部Ｌを挟むように、一体基板をネジで固定する。その後、一体基板をミシン目に沿って切って、耐熱用基板５４と操作部用基板５３とを分離させる。
【００５１】
また、アナログ基板５１と放熱板５５の凹凸部との間に上下方向Ｙ５に貫通する透孔６０が設けられるように、放熱板５５をアナログ基板５１に重ねて固着する。また、アナログ基板５１、デジタル基板５２の基板第１保持部１５１Ｒ、１５１Ｌ、１５２Ｒ及び１５２Ｌ、基板第２保持部２６１、２６２に狭持される部分にテープ７０を貼り付ける。その後、アナログ基板５１及びデジタル基板５２の上側の縁部Ｅ１を上側突部２６Ａに設けた上側スリット２６Ｂに挿入して上側突部２６Ａによって狭持させる。このとき、アナログ基板５１に取り付けられた放熱板５５が演奏者から離れた側Ｙ２になるようにアナログ基板５１の上側の縁部Ｅ１を上側突部２６Ａによって狭持させる。
【００５２】
次に、アナログ基板５１及びデジタル基板５２の下側の縁部Ｅ１が第１下側スリットＳＬ１１、第２下側スリットＳＬ１２に挿入され、かつアナログ基板５１及びデジタル基板５２が位置決め壁１５Ｃ間に挿入されるように、下ケース１０の上側に上ケース２０を重ね合わせる。上記アナログ基板５１及びデジタル基板５２は、まず第１下側スリットＳＬ１１内に挿入され、第１下側突部１５Ａに狭持される（仮り係止）。このとき、第１下側突部１５Ａに設けたテーパＴに沿ってアナログ基板５１及びデジタル基板５２を挿入すると、アナログ基板５１及びデジタル基板５２が第１下側スリットＳＬ１１に案内される。
【００５３】
その後、アナログ基板５１及びデジタル基板５２は、第２下側スリットＳＬ１２内に挿入され、第２下側突部１５Ｂに狭持される。このとき、第２下側突部１５Ｂに設けたテーパＴに沿ってアナログ基板５１及びデジタル基板５２を挿入すると、アナログ基板５１及びデジタル基板５２が第２下側スリットＳＬ１２に案内される。
【００５４】
次に、下ケース１０下側から下側ボス１６のネジ孔ｈ１、上側ボス２６のネジ孔ｈ２にネジ（固着手段）を挿入して上ケース２０及び下ケース１０をネジで固定して組立が完成する。
【００５５】
上述した電子鍵盤楽器の外装構造によれば、アナログ基板５１、デジタル基板５２の縁部Ｅ１がそれぞれ第１、第２下側スリットＳＬ１１、ＳＬ１２及び上側スリット２６Ｂ内に挿入されて第１、第２下側突部１５Ａ、１５Ｂ及び上側突部２６Ａによって狭持されるように下ケース１０の上側に上ケース２０を重ねた状態で、上ケース２０及び下ケース１０がネジで固着されて設けられている。これにより、上ケース２０及び下ケース１０によって上下方向Ｙ５からアナログ基板５１、デジタル基板５２を挟み込んで保持することができるため、アナログ基板５１、デジタル基板５２を上ケース２０及び下ケース１０に取り付けるためのネジ止め作業が不要になる。しかも下ケース１０に対する上ケース２０の取付作業時にアナログ基板５１、デジタル基板５２を上ケース２０及び下ケース１０に取り付けることができる。このため、組立作業を簡単に行うことができる。また、アナログ基板５１、デジタル基板５２が上ケース２０及び下ケース１０の上下方向Ｙ５の補強となり、上ケース２０及び下ケース１０の外力による変形を防止することができる。また、アナログ基板５１、デジタル基板５２の上下の縁部Ｅ１が第１、第２下側突部１５Ａ、１５Ｂ、上側突部２６Ａによって狭持されるため、アナログ基板５１、デジタル基板５２が前後方向に倒れるのを防止して、上ケース２０及び下ケース１０内に強固に固定される。
【００５６】
また、上述した電子鍵盤楽器の外装構造によれば、放熱板５５をアナログ基板５１の演奏者から離れた側Ｙ２に配置し、しかも放熱板５５の盤面Ｂを演奏者から離れた側Ｙ２に向けるように配置するため、鍵盤部３０に熱がこもるのを防ぐことができる。例えば、アナログ基板５１と鍵盤部３０との間に放熱板５５を配置すると、鍵盤部３０のフレーム（樹脂）に熱がこもり、鍵盤（樹脂）フレームに熱分布のアンバランスが起こる。それによって鍵盤部３０のフレームがねじれ、各鍵毎のタッチレスポンスの均一性が悪くなったり、鍵盤演奏性（フラットな鍵盤ではなくなる）が低下するが、本実施形態によれば、鍵盤部３０に熱がこもるのを防ぐことができ、アナログ基板５１からの熱によって各鍵毎のタッチレスポンスの悪化や鍵盤演奏性が低下するのを防ぐことができる。
【００５７】
また、上述した電子鍵盤楽器の外装構造によれば、放熱板５５に対向した後方立ち上がり部１２に放熱孔１７が設けられている。これにより、放熱効果を増すことができる。
【００５８】
また、上述した電子鍵盤楽器の外装構造によれば、放熱板５５が、アナログ基板５１と凹凸部との間に上下方向Ｙ５に貫通する透孔６０が設けられるように、アナログ基板５１に重ねて固着されているので、放熱板５５がアナログ基板５１の補強になる。このため、アナログ基板５１が上ケース２０及び下ケース１０をより一層補強し、上ケース２０及び下ケース１０の外力による変形を防止することができる。しかも、透孔６０によって上下方向Ｙ５に空気の通り道を作るため、より一層、放熱効果を増すことができる。
【００５９】
また、上述した電子鍵盤楽器の外装構造によれば、第１下側スリットＳＬ１１の開口を第２下側スリットＳＬ１２の開口よりも上ケース２０側に設けることにより、アナログ基板５１、デジタル基板５２挿入時に最初に第１下側スリットＳＬ１１に挿入されその後に第２スリットＳＬ１２に挿入されるように設けられている。このように、時間差で挿入できる第１下側スリットＳＬ１１及び第２下側スリットＳＬ１２によってスムーズにアナログ基板５１、デジタル基板５２を下ケース１０に装着することができる。また、第１下側スリットＳＬ１１及び第２下側スリットＳＬ１２が協働してアナログ基板５１、デジタル基板５２の前後方向（板厚方向）の調芯作用をする。
【００６０】
また、上述した電子鍵盤楽器の外装構造によれば、第１下側スリットＳＬ１１、第２下側スリットＳＬ１２が鍵並び方向Ｙ３、Ｙ４に並んで設けられているため、より一層スムーズにアナログ基板５１、デジタル基板５２を下ケース１０に装着することができる。また、上述した電子鍵盤楽器の外装構造によれば、第２下側突部１５Ｂ、第２下側スリットＳＬ１２が２つ、つまり複数設けられているため、より一層スムーズにアナログ基板５１、デジタル基板５２を下ケース１０に装着することができる。また、２つの第２下側スリットＳＬ１２が各々延在方向Ｙ６（鍵並び方向Ｙ３、Ｙ４）に並んで設けられているため、より一層スムーズにアナログ基板５１、デジタル基板５２を下ケース１０に装着することができる。
【００６１】
また、上述した電子鍵盤楽器の外装構造によれば、アナログ基板５１、デジタル基板５２にテープ７０を貼り付けることによりアナログ基板５１、デジタル基板５２が第１下側スリットＳＬ１１、第２下側スリットＳＬ１２内でガタツキがなく、強固に固着することができる。このため、楽音にメカ雑音が発生するのを防止し、ビリツキ音が発生するのを防止することができる。
【００６２】
また、上述した電子鍵盤楽器の外装構造によれば、位置決め壁１５Ｃによりアナログ基板５１、デジタル基板５２の鍵並び方向Ｙ３、Ｙ４の位置決めを行うことができる。しかも、連結壁１５Ｄによって第１下側突部１５Ａ、第２下側突部１５Ｂと連結して一体に設けることにより、位置決め壁１５Ｃ、第１下側突部１５Ａ、１５Ｂを補強することができる。
【００６３】
また、上述した電子鍵盤楽器の外装構造によれば、上板２１との間に配線部Ｌを挟んで上板２１に取り付けられる耐熱用基板５４が、配線部Ｌの放熱板５５の上方付近に配索されている部分に設けられているので、耐熱用基板５４により放熱板５５からの熱を遮断することができるため、放熱板５５からの熱の影響により配線部Ｌに不具合が発生することを防止することができる。
【００６４】
また、上述した電子鍵盤楽器の外装構造によれば、耐熱用基板５４が、操作部用基板５３にミシン目を入れて一体に形成された後にミシン目で分離されて設けられているので、操作部用基板５３と耐熱用基板５４とを上ケース２０及び下ケース１０に取り付けるまで一体にしておけば、耐熱用基板５４を紛失してしまうのを防止することができる。
【００６５】
なお、上述した実施形態によれば、下ケース１０には後方立ち上がり部１２を設けていたが、本発明はこれに限ったものではない。例えば下ケース１０の演奏者とは離れた側Ｙ２に開口を設け、上ケース２０に下ケース１０の演奏者とは離れた側Ｙ２の開口を覆う背面板部を設けるような構成であってもよい。即ち、下ケース１０が少なくとも底板１１を有し、上ケース２０が少なくとも上板２１を有し、そして、上ケース２０を下ケース１０の上方から重ねて取り付けるようなものであれば、ケースの形状は上述した実施形態に限定されるものではない。
【００６６】
また、上述した実施形態によれば、底板１１に第１下側突部１５Ａ、第２下側突部１５Ｂを設け、その第１下側突部１５Ａ、第２下側突部１５Ｂに第１下側スリットＳＬ１１、第２下側スリットＳＬ１２を設けていたが、本発明はこれに限ったものではない。底板１１に厚みがあれば、第１、第２下側突部１５Ａ、１５Ｂを設けることなく、底板１１に直接、第１、第２下側スリットＳＬ１１、ＳＬ１２を設けることも考えられる。
【００６７】
また、上述した実施形態によれば、上板２１に上側突部２６Ａを設け、この上側突部２６Ａに上側スリット２６Ｂを設けていたが、本発明はこれに限ったものではない。上板２１に厚みがあれば、上側突部２６Ａを設けることなく、上板２１に直接、上側スリット２６Ｂを設けることも考えられる。
【００６８】
また、上述した実施形態によれば、盤面Ｂが演奏者から離れた側Ｙ２に向くように、アナログ基板５１の演奏者から離れた側Ｙ２に放熱板５５を取り付けていたが、本発明はこれに限ったものではない。放熱板５５の形状や配置位置も上述した実施形態に限定されるものではない。
【００６９】
また、上述した実施形態によれば、基板第１保持部１５１Ｒ、１５１Ｌ、１５２Ｒ及び１５２Ｌには各々、２つの第２下側突部１５Ｂが設けられ、２つの第２下側スリットＳＬ１２が設けられていたが、本発明はこれに限ったものではない。例えば、第２下側突部１５Ｂ、第２下側スリットＳＬ１２は、１つだけ設けても良いし、３つ以上設けてもよい。
【００７０】
また、上述した実施形態によれば、基板第１保持部１５１Ｒ、１５１Ｌ、１５２Ｒ及び１５２Ｌには各々、第２下側突部１５Ｂ、第２下側スリットＳＬ１２が設けられていたが、本発明はこれに限ったものではない。例えば、基板第１保持部１５１Ｒ、１５１Ｌ、１５２Ｒ及び１５２Ｌに、基板第１保持部と同様に、第２下側突部１５Ｂ、第２下側スリットＳＬ１２を設けないことも考えられる。
【００７１】
また、上述した実施形態によれば、位置決め壁１５Ｃ、第１下側突部１５Ａ、第２下側突部１５Ｂは、連結壁１５Ｄによって連結されていたが、本発明はこれに限ったものではない。位置決め壁１５Ｃ、第１下側突部１５Ａ、第２下側突部１５Ｂの各々に強度があれば、連結壁１５Ｄによって連結させる必要はない。
【００７２】
また、上述した実施形態によれば、基板第１保持部１５１Ｒ、１５１Ｌ、１５２Ｒ及び１５２Ｌには各々、位置決め壁１５Ｃが設けられていたが、本発明はこれに限ったものではない。例えば、基板第１保持部１５１Ｒ、１５１Ｌ、１５２Ｒ及び１５２Ｌに、基板第１保持部と同様に、位置決め壁１５Ｃを設けないことも考えられる。
【００７３】
また、上述した実施形態によれば、耐熱用基板５４が、操作部用基板５３にミシン目を入れて一体に形成された後にミシン目で分離されて設けられていたが、本発明はこれに限ったものではない。耐熱用基板５４と操作部用基板５３とを別々に設けるようにしてもよい。
【００７４】
また、上述した実施形態によれば、アナログ基板５１、デジタル基板５２に弾性手段としてのテープ７０を貼り付けていたが、本発明はこれに限ったものではない。例えば、第１下側スリットＳＬ１１、第２下側スリットＳＬ１２、上側スリット２６Ｂの内側にテープ７０を貼り付けることも考えられる。
【００７５】
また、基板第１保持部１５１Ｒ、１５１Ｌ、１５２Ｒ及び１５２Ｌ、基板第２保持部２６１、２６２については、上述した実施形態に限定されるものではない。例えば、第１、第２下側突部１５Ａ、１５Ｂと上側突部２６Ａとの少なくとも一方によってアナログ基板５１及びデジタル基板５２の板厚方向を狭持するようにしてもよい。このとき、第１、第２下側突部１５Ａ、１５Ｂには、下方向に向かうに従ってスリット幅が狭くなるようなテーパを設け、上側突部２６Ａには、上方向に向かうに従ってスリット幅が狭くなるようなテーパを設ける。そして、第１、第２下側スリットＳＬ１１、ＳＬ１２、上側スリット２６Ｂにアナログ基板５１、デジタル基板５２を圧入すれば、弾性手段（テープ７０）を設けなくても音楽発生時のビリツキ音を防止することができる。
【００７６】
また、上述した実施形態では、アナログ基板５１、デジタル基板５２は、上下方向Ｙ５の縁部Ｅ１が第１、第２下側スリットＳＬ１１、ＳＬ１２の底面、上側スリット２６Ｂの底面にそれぞれ接していたが、本発明はこれに限ったものではない。例えば、アナログ基板５１、デジタル基板５２を第１、第２下側スリットＳＬ１１、ＳＬ１２と上側スリット２６Ｂとの少なくとも一方の底面から離間させ、アナログ基板５１、デジタル基板５２の板厚方向を第１、第２下側突部１５Ａ、１５Ｂ、上側突部２６Ａによって狭持させて保持してもよい。また、このとき、アナログ基板５１、デジタル基板５２と、第１、第２下側スリットＳＬ１１、ＳＬ１２や上側スリット２６Ｂの底面との間にできた隙間にゴム接着剤を流し込んで、第１、第２下側スリットＳＬ１１、ＳＬ１２や上側スリット２６Ｂ内でのアナログ基板５１、デジタル基板５２のガタツキを防止して、音楽発生時のビリツキ音を防止することもできる。
【００７７】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００７８】
【図１】（Ａ）は本発明の電子鍵盤楽器の外装構造を構成する上ケースを下側から見た斜示図であり、（Ｂ）は、本発明の電子鍵盤楽器の外装構造を構成する下ケースを上側から見た斜示図である。
【図２】図１に示す下ケースの部分拡大斜示図である。
【図３】図１に示す下ケースの部分拡大斜示図である。
【図４】図２に示すＩＶ−ＩＶ線で上ケース及び下ケースを組み込んだ電子鍵盤楽器を切ったときの断面図である。
【符号の説明】
【００７９】
１０…下ケース、１１…底板、１５１Ｒ、１５１Ｌ、１５２Ｒ及び１５２Ｌ…基板第１保持部、１５Ａ…第１下側突部（下側突部）、１５Ｂ…第２下側突部（下側突部）、１５Ｃ…位置決め壁、１５Ｄ…連結壁（連結部）、２０…上ケース、２１…上板、２６１、２６２…基板第２保持部、２６Ａ…上側突部、２６Ｂ…上側スリット、３０…鍵盤部、５１…アナログ基板（基板）、５２…デジタル基板（基板）、５５…放熱板、６０…透孔、７０…テープ（弾性手段）、ＳＬ１１…第１下側スリット（下側スリット）、ＳＬ１２…第２下側スリット（下側スリット）、Ｙ１…演奏者側、Ｙ２…演奏者から離れた側、Ｙ３…鍵並び方向の演奏者の左側、Ｙ４…鍵並び方向の演奏者の右側、Ｙ５…上下方向、Ｙ６…延在方向、Ｂ…盤面
【図１】
2008170476.tif 000003
【図２】
2008170476.tif 000004
【図３】
2008170476.tif 000005
【図４】
2008170476.tif 000006